(57)【要約】【課題】表示装置を持つ機器に「本」型のユーザインタフェースを持つメニューを表示することで、簡単な操作環境を提供する。【解決手段】メニュー制御部１０３および詳細メニュー制御部１１１は入力受付部１０２の指示により、メニュー構造管理部１０４の管理する操作用メニューの構造にしたがって、操作用メニューを生成・変更および削除し、操作用メニューを作成し、インデックス制御部１１２は表示中の操作用メニューの構造上の位置を求め、メニューの構造上の位置を表すインデックスを作成し、操作案内制御部１０５は操作中のメニュー項目の操作案内を作成し、取り扱い説明制御部１１３は入力受付部１０２の指示により、必要に応じて取り扱い説明を作成し、表示内容合成部１１０は作成された表示内容を合成して表示装置１０７に表示する。【選択図】図１
2004297816.tif 000002
【特許請求の範囲】
【請求項１】
入力装置からの入力を受け付ける入力受付部と、操作用メニューの構造および表示用データを管理するメニュー構造管理部と、前記入力受付部の指示により、前記メニュー構造管理部の管理するメニューの構造にしたがって、操作用メニューを生成・変更および削除し、前記操作用メニューを表示装置に表示し、表示内容を制御するメニュー制御部と、前記入力受付部の指示により、前記メニュー構造管理部の管理するメニューの構造にしたがって、現在表示中の操作メニューに対応した詳細操作用メニューを生成・変更および削除し、前記詳細操作用メニューを表示装置に表示し、表示内容を制御する詳細メニュー制御部とを有することを特徴とする操作用メニュー付き表示装置。
【請求項２】
メニュー制御部または詳細メニュー制御部により表示中のメニューの構造上の位置をメニュー構造管理部より求め、メニューの構造上の位置をインデックスとして表示装置に表示し、表示内容を制御し、かつ入力受付部の指示により、操作用メニューおよび詳細操作用メニューの変更を前記メニュー制御部および前記詳細メニュー制御部に要求するインデックス制御部を有する請求項１記載の操作用メニュー付き表示装置。
【請求項３】
機器の内部状態を保存する内部状態管理部と、入力受付部またはメニュー制御部または詳細メニュー制御部の指示により、前記内部状態管理部の持つ内部状態を変化させ、同時に前記メニュー制御部または前記詳細メニュー制御部の表示内容の変更を要求する内部状態制御部を有する請求項１または請求項２記載の操作用メニュー付き表示装置。
【請求項４】
入力受付部の指示により、メニュー制御部により表示中の操作用メニューまたは詳細メニュー制御部により表示中の詳細操作用メニューの中の操作中のメニュー項目に関する取り扱い説明をメニュー構造管理部より求め、同時に内部状態管理部より機器の現在の内部状態を得、現在の内部状態に応じた取り扱い説明を前記操作用メニューまたは前記詳細操作用メニューの表示と並べて表示装置に表示し、表示内容を制御する取り扱い説明制御部を有する請求項３記載の操作用メニュー付き表示装置。
【請求項５】
設定した任意の時間に割り込み要求を発生する時間計測部と、メニュー制御部により表示中の操作用メニューまたは詳細メニュー制御部により表示中の詳細メニューの中の操作中のメニュー項目に関する操作案内をメニュー構造管理部より求め、操作中のメニュー項目の選択時間を前記時間計測部で測定し、一定時間を経過した場合のみ、内部状態管理部より機器の現在の内部状態を得、現在の内部状態に応じた操作案内を前記操作用メニューまたは前記詳細操作メニューの表示と並べて表示装置に表示し、表示内容を制御する操作案内表示制御部を有する請求項４記載の操作用メニュー付き表示装置。
【請求項６】
メニュー制御部および詳細メニュー制御部およびインデックス制御部および取り扱い説明制御部および操作案内表示制御部の表示装置に対する表示を整形・合成し、表示内容の更新を行なう表示内容合成部を有する請求項１または請求項２または請求項３または請求項４または請求項５記載の操作用メニュー付き表示装置。
【発明の詳細な説明】
【技術分野】
【０００１】
本発明は、操作用メニューの表示機能を有する表示装置に関する。
【背景技術】
【０００２】
近年テレビジョン受像機等の高性能化と多機能化にともない、マイクロコンピュータを利用し、ＣＲＴ上に機器の操作用メニューを表示し、リモコン等によりメニュー項目を選択し、機器の操作を行なうことが、広く行なわれるようになってきた。
【０００３】
ところで、従来の操作用メニュー付き表示装置においては、使用されだしてからの経験が浅いことや、マイクロコンピュータの性能が低かったこともあり、操作の手順が複雑であったり、メニューの構造が難解であったりするため、操作に時間がかかったり、操作誤りが発生しやすいという難点があった。
【０００４】
ここで、従来の操作用メニュー付き表示装置の一例を説明する。
【０００５】
図１４にそのブロック図を示す。図１４において、４０１は入力装置であり赤外線リモコン等で構成され、利用者、例えばテレビ視聴者はリモコン等のキーを押すことで機器への操作入力を行なうことが可能である。４０７は表示装置であり、ＣＲＴなどで構成され、ビデオ画像やメニューを表示する。４０２は入力受付部であり、入力装置４０１からのキー入力を受け付ける。４０６は内部状態制御部であり、機器の内部状態、例えばテレビジョンの選択チャンネルの変更等の制御を行なう。４０４はメニュー構造管理部であり、操作用メニューの構造およびメニュー項目に対応する内部状態や表示用データを管理する。
【０００６】
４０３はメニュー制御部であり、入力受付部４０２の指示により、メニュー構造管理部４０４の管理するメニューの構造にしたがって、操作用メニューを生成・変更および削除し、操作用メニューを表示装置４０７に表示し、表示内容を制御し、同時に内部状態制御部４０６に内部状態の変更を要求する。４０５は操作案内表示制御部であり、メニュー制御部４０３により表示中の操作用メニューの中の操作中のメニュー項目に関する操作案内をメニュー構造管理部４０４より求め、操作案内を操作用メニュー４０３の表示と並べて表示装置に表示し、表示内容を制御する。その他、一般に表示装置には種々の構成要素を必要とするが、本発明の要旨そのものではないので省略する。
【０００７】
以上のように構成された従来の操作用メニュー付き表示装置について、その具体的な動作を図１４〜図２０を参照しながら説明する。図１５および図１６に、この従来技術に係る操作用メニュー付き表示装置の動作の一例をフローチャートとして示す。図１７〜図２０に、この従来技術に係る操作用メニュー付き表示装置の表示画面の変化の一例を具体的に示す。なお、図１７〜図２０において同一部分には同一符号を記す。
【０００８】
本従来例においては操作用メニューは基本的に２階層のツリー型階層構造を持つ。図１７に示したとおり、入力装置４１０には少なくとも、選択メニュー項目の変更を行うための上下カーソルキー６１１と、選択メニュー項目内容の変更を行うための左右カーソルキー６１２と、メニューの階層を降りるための決定キー６１３と、最上位のメニュー階層に戻るためのメニューキー６１４が存在する。
【０００９】
また、表示装置６０１内のメニュー表示部６０２には既に操作用メニューの最上位の階層が表示されており、「音声の調整」が現在選択されているメニューの項目である。また、操作案内表示部６０３には、現在選択されているメニューに対応して、操作案内が表示されている。この時点では、各メニュー項目の下位階層内部にどのようなメニューが含まれるかは、その階層に入らない限り、利用者にはわからない。
【００１０】
一方、使用頻度の低いメニュー項目も、使用頻度の高いメニュー項目も同じ２階層目に含まれるため、画面に表示される情報量が多く利用者を戸惑わせる原因となる。
【００１１】
ここで、入力装置４０１の上下カーソルキー６１１の押下により図１５に示した「利用者による選択メニュー項目の変更」が発生すると、入力受付部４０２からメニュー制御部４０３に「利用者による選択メニュー項目の変更」という情報が伝えられ、メニュー制御部４０３はメニュー構造管理部４０４を参照し、選択メニューの表示を更新し、操作案内制御部４０５に対して、操作案内表示の更新を要求し、図１５に示した「操作案内の変更」まで動作が進み、表示画面は図１８の状態となる。この場合、「映像の調整」が選択されている。この様な選択メニュー項目の変更を連続して繰り返すと、操作案内の変更が同時に繰り返され、表示が高速に書き変わり利用者の操作の妨げとなる。
【００１２】
さらに、決定キー６１３の押下により操作を進め「映像調整」メニューの階層内に入ると表示画面は図１９の状態となる。この場合、「色の濃さ」が選択されており、その内部状態は「＋３０」である。この時点で、利用者はメニュー構造の中で現在表示中のメニューがどの階層に位置しているかを認知することは難しい。また、利用者にとって各メニュー項目を動作させた場合、実際の機器に対してどのような効果を与えるかは、機器に附属した取り扱い説明書をわざわざ読まなければならない。
【００１３】
また、「映像の調整」以外のメニューを表示するためには、いったんメニューキー６１４を押下して、最上位のメニュー階層に戻り、上下カーソルキー６１１の押下によって、メニュー項目を選択しなおし、決定キー６１３を押下するという繁雑な操作が必要となる。
【００１４】
図１９において、入力装置４０１の左右カーソルキー６１２の押下により図１６の「利用者による選択メニュー項目内容の変更」が発生すると、入力受付部４０２からメニュー制御部４０３に「利用者による選択メニュー項目内容の変更」という情報が伝えられ、メニュー制御部４０３はメニュー構造管理部４０４を参照して、現在選択中のメニュー項目に応じた内部状態を得て、内部状態制御部４０６に対して内部状態の変更を要求し、同時に表示を更新することで、表示画面は図２０の状態となる。この場合、「色の濃さ」が選択されており、その内部状態は「＋２９」である。この時点で、例えばテレビジョン受像機に装備されているようなシステム入力端子により外部機器から「色あい」の内部状態の書き換えが発生した場合を仮定すると、図１４のメニュー制御部４０３が表示している「色あい」の情報と、実際の機器の持つ「色あい」の内部状態の不一致が生じる。
【特許文献１】特開昭６２−２１３７９号公報
【発明の開示】
【発明が解決しようとする課題】
【００１５】
以上のごとく従来技術に係る操作用メニュー付き表示装置では、既述の理由により、
（１）各メニュー項目の下位階層内部にどのようなメニューが含まれるかは、その階層に入らない限りわからない、
（２）使用頻度の低いメニュー項目も、使用頻度の高いメニュー項目も同じ２階層目に含まれるため、画面に表示される情報量が多く利用者を戸惑わせる原因となり、
（３）選択されたメニュー項目の変更を連続して繰り返すと、操作案内表示部６０３の変更が同時に繰り返され、表示が高速に書き変わり利用者の操作の妨げとなる。
【００１６】
また、
（４）利用者はメニュー構造の中で現在表示中のメニューがどの階層に位置しているかを認知することは難しい。従って、
（５）利用者にとって各メニュー項目を動作させた場合、実際の機器に対してどのような効果を与えるかは、機器に附属した取り扱い説明書をわざわざ読まなければならないし、
（６）利用者からの入力装置による入力以外に外部機器からの内部状態の変更要求が発生すると、表示している情報と、実際の機器の持つ内部状態の不一致が生じる等の多くの機能上の問題点を有している。
【００１７】
ところで、テレビジョン受像機等は、一般家電製品として広く普及するものであり、利用者は若年者から老年者更には体の不自由な人にとっても使いやすいものでなくてはならない。この為、上述の如く機能に各種の問題点があるのは、今後のテレビジョン受像機の普及を図る面からは大きな障害となりかねない。
【００１８】
本発明は、以上の課題に鑑みなされたものであり、インデックスや取り扱い説明、操作案内機能を持ち、矛盾なく簡便な操作用メニュー表示を実現する操作用メニュー付き表示装置を提供することを目的とする。
【課題を解決するための手段】
【００１９】
上記目的を達成するために、本発明においては、入力装置からの入力を受け付ける入力受付部と、操作用メニューの構造および表示用データを管理するメニュー構造管理部と、前記入力受付部の指示により、前記メニュー構造管理部の管理するメニューの構造にしたがって、操作用メニューを生成・変更および削除し、操作用メニューを表示装置に表示し、表示内容を制御するメニュー制御部と、前記入力受付部の指示により、前記メニュー構造管理部の管理するメニューの構造にしたがって、現在表示中の操作メニューに対応した詳細操作用メニューを生成・変更および削除し、詳細操作用メニューを表示装置に表示し、表示内容を制御する詳細メニュー制御部とを有することを特徴とする操作用メニュー付き表示装置としている。
【００２０】
第２の発明においては、前記メニュー制御部または前記詳細メニュー制御部により表示中のメニューの構造上の位置を前記メニュー構造管理部より求め、メニューの構造上の位置をインデックスとして表示装置に表示し、表示内容を制御し、かつ前記入力受付部の指示により、操作用メニューおよび詳細操作用メニューの変更を前記メニュー制御部および前記詳細メニュー制御部に要求するインデックス制御部を付加した請求項１記載の操作用メニュー付き表示装置としている。
【００２１】
第３の発明においては、機器の内部状態を保存する内部状態管理部と、前記入力受付部または前記メニュー制御部または前記詳細メニュー制御部の指示により、前記内部状態管理部の持つ内部状態を変化させ、同時に、前記メニュー制御部または前記詳細メニュー制御部の表示内容の変更を要求する内部状態制御部を付加した請求項１または請求項２記載の操作用メニュー付き表示装置としている。
【００２２】
第４の発明においては、前記入力受付部の指示により、前記メニュー制御部により表示中の操作用メニューまたは前記詳細メニュー制御部により表示中の詳細操作用メニューの中の操作中のメニュー項目に関する取り扱い説明を前記メニュー構造管理部より求め、同時に前記内部状態管理部より機器の現在の内部状態を得、現在の内部状態に応じた取り扱い説明を操作用メニューまたは詳細操作用メニューの表示と並べて表示装置に表示し、表示内容を制御する取り扱い説明制御部を付加した請求項３記載の操作用メニュー付き表示装置としている。
【００２３】
第５の発明においては、設定した任意の時間に割り込み要求を発生する時間計測部と、前記メニュー制御部により表示中の操作用メニューまたは前記詳細メニュー制御部により表示中の詳細メニューの中の操作中のメニュー項目に関する操作案内を前記メニュー構造管理部より求め、操作中のメニュー項目の選択時間を前記時間計測部で測定し、一定時間を経過した場合のみ、前記内部状態管理部より機器の現在の内部状態を得、現在の内部状態に応じた操作案内を操作用メニューまたは詳細操作メニューの表示と並べて表示装置に表示し、表示内容を制御する操作案内表示制御部を付加した請求項４記載の操作用メニュー付き表示装置としている。
【００２４】
第６の発明においては、前記メニュー制御部および前記詳細メニュー制御部および前記インデックス制御部および前記取り扱い説明制御部および前記操作案内表示制御部の表示装置に対する表示を整形・合成し、表示内容の更新を行なう表示内容合成部を付加した請求項１または請求項２または請求項３または請求項４または請求項５記載の操作用メニュー付き表示装置としている。
【発明の効果】
【００２５】
本発明に係る操作用メニュー付き表示装置では、従来技術に係るものに比較した場合に、直接的効果としては、インデックスを持つ「本」型のメニューの構造を持つため、複雑なメニューの全体を把握しやすく、簡単な操作環境を提供することができる。また、取り扱い説明や、操作案内を画面を乱すことなく表示することにより、誤操作を防止し、利用者にとって快適な操作環境を提供できる。
【００２６】
このため、最終の、そして究極的効果として、次世代、高機能テレビジョンをはじめ、ＡＶ機器、テレビゲーム等の玩具を、身体の状態によらず、幅広い年齢層の利用者にとって簡単に使えるものとすることが可能となり、ひいてはより一層の採用が期待しえる。
【００２７】
上記の構成により、第１の発明においては、入力受付部は入力装置からの入力を受け付け、メニュー構造管理部は操作用メニューの構造および表示用データを管理し、メニュー制御部は前記入力受付部の指示により、前記メニュー構造管理部の管理するメニューの構造にしたがって、操作用メニューを生成・変更および削除し、操作用メニューを表示装置に表示し、表示内容を制御し、詳細メニュー制御部は前記入力受付部の指示により、前記メニュー構造管理部の管理するメニューの構造にしたがって、現在表示中の操作メニューに対応した詳細操作用メニューを生成・変更および削除し、詳細操作用メニューを表示装置に表示し、表示内容を制御する。
【００２８】
第２の発明においては、インデックス制御部は前記メニュー制御部または前記詳細メニュー制御部により表示中のメニューの構造上の位置を前記メニュー構造管理部より求め、メニューの構造上の位置をインデックスとして表示装置に表示し、表示内容を制御し、かつ前記入力受付部の指示により、操作用メニューおよび詳細操作用メニューの変更を前記メニュー制御部および前記詳細メニュー制御部に要求する。
【００２９】
第３の発明においては、内部状態管理部は機器の内部状態を保存し、内部状態制御部は前記入力受付部または前記メニュー制御部または前記詳細メニュー制御部の指示により、前記内部状態管理部の持つ内部状態を変化させ、同時に、前記メニュー制御部または前記詳細メニュー制御部の表示内容の変更を要求する。
【００３０】
第４の発明においては、取り扱い説明制御部は前記入力受付部の指示により、前記メニュー制御部により表示中の操作用メニューまたは前記詳細メニュー制御部により表示中の詳細操作用メニューの中の操作中のメニュー項目に関する取り扱い説明を前記メニュー構造管理部より求め、同時に前記内部状態管理部より機器の現在の内部状態を得、現在の内部状態に応じた取り扱い説明を操作用メニューまたは詳細操作用メニューの表示と並べて表示装置に表示し、表示内容を制御する。
【００３１】
第５の発明においては、時間計測部は設定した任意の時間に割り込み要求を発生し、操作案内表示制御部は前記メニュー制御部により表示中の操作用メニューまたは前記詳細メニュー制御部により表示中の詳細メニューの中の操作中のメニュー項目に関する操作案内を前記メニュー構造管理部より求め、操作中のメニュー項目の選択時間を前記時間計測部で測定し、一定時間を経過した場合のみ、前記内部状態管理部より機器の現在の内部状態を得、現在の内部状態に応じた操作案内を操作用メニューまたは詳細操作メニューの表示と並べて表示装置に表示し、表示内容を制御する。
【００３２】
第６の発明においては、表示内容合成部は前記メニュー制御部および前記詳細メニュー制御部および前記インデックス制御部および前記取り扱い説明制御部および前記操作案内表示制御部の表示装置に対する表示を整形・合成し、表示内容の更新を行なう。
【発明を実施するための最良の形態】
【００３３】
以下、本発明に係る装備を一体に組み込んだ操作用メニュー付き表示装置の実施例を基に各請求項の発明を説明する。
【００３４】
図１は本発明に係る操作用メニュー付き表示装置の一実施例である。図１において、１０１は入力装置で、赤外線リモコン等で構成され、利用者、例えばテレビ視聴者はリモコン等のキーを押すことで機器への操作入力を行なうことが可能である。１０７は表示装置で、ＣＲＴなどで構成され、ビデオ画像やメニューを表示する。
【００３５】
１０２は入力受付部で、入力装置１０１からのキー入力を受け付ける。１０４はメニュー構造管理部で、操作用メニューの構造および表示用データを管理する。１０９は内部状態管理部で、機器の内部状態、例えばテレビジョンの選択チャンネルや色の濃さなどの映像調整値などを保持している。１０６は内部状態制御部で、入力受付部１０２からの指示により内部状態管理部１０９に存在する機器の内部状態の変更等の制御を行なう。１１０は表示内容合成部で、他の構成要素より送られた複数の表示内容を、特定の時点及び特定の位置に表示装置１０７に表示する。
【００３６】
１０３はメニュー制御部で、入力受付部１０２の指示により、メニュー構造管理部１０４の管理するメニューの構造にしたがって、操作用メニューを生成・変更および削除し、操作用メニューを表示内容を表示内容合成部１１０に送り、表示内容を制御し、同時に内部状態制御部１０６に内部状態の変更を要求する。１１１は詳細メニュー制御部で、入力受付部１０２の指示により、メニュー構造管理部１０４の管理するメニューの構造にしたがって、詳細操作用メニューを生成・変更および削除し、詳細操作用メニューを表示内容合成部１１０に送り、表示内容を制御し、同時に内部状態制御部１０６に内部状態の変更を要求する。１１４は時間計測部で、設定した任意の時間に操作案内制御部１０５に割り込み要求を発生する。
【００３７】
１０５は操作案内制御部で、メニュー制御部１０３により表示中の操作用メニューの中の操作中のメニュー項目に関する操作案内をメニュー構造管理部１０４より求め、時間計測部１１４により、一定時間が経過した時のみ、内部状態制御部１０６から現在の機器の内部状態を取り出し、内部状態に応じた操作案内を表示内容合成部１１０に送り、表示内容を制御する。１１３は取り扱い説明制御部で、入力受付部１０２の指示により、表示中の操作用メニューの中の操作中のメニュー項目に関する取り扱い説明をメニュー構造管理部１０４より求め、内部状態制御部１０６から現在の機器の内部状態を取り出し、内部状態に応じた取り扱い説明を表示内容合成部１１０に送り、表示内容を制御する。
【００３８】
１１２はインデックス制御部で、メニュー制御部１０３または詳細メニュー制御部１１１により表示中のメニューの構造上の位置をメニュー構造管理部１０４より求め、メニューの構造上の位置をインデックスとして表示内容を生成および変更し、表示内容合成部１１０に送り、表示内容を制御し、且つ入力受付部１０２の指示により、操作用メニューおよび詳細操作用メニューの変更をメニュー制御部１０３および詳細メニュー制御部１１１に要求する。
【００３９】
内部状態管理部１０９、メニュー構造管理部１０４等の記憶素子としては主に半導体メモリが使用されている。メニュー制御部１０３、内部状態制御部１０６等の各種処理の基本的なプログラムは半導体メモリ等の記憶素子により構成されたＲＯＭに主に組み込まれている。またこれらの処理は本操作用メニュー付き表示装置に内蔵されているマイクロコンピュータの制御によりなされる。その他、一般に表示装置には種々の構成要素を必要とするが、本発明の要旨そのものではないので省略する。
【００４０】
以上のように構成された本願発明の一実施例の操作用メニュー付き表示装置について、その具体的な動作を図１〜図１３を参照しながら説明する。図２〜図６に、この本願発明の一実施例に係る操作用メニュー付き表示装置の動作の一例をフローチャートとして示す。図７〜図１３にこの本願発明の一実施例に係る操作用メニュー付き表示装置の表示画面の変化の一例を具体的に示す。なお、図７〜図１３において同一部分については同一符号を記す。また、本願発明の一実施例において操作用メニューは基本的に２階層のツリー型階層構造を持つ。
【００４１】
図７に示したとおり、入力装置３１０には少なくとも、選択メニュー項目の変更を行うための上下カーソルキー３１１と、選択メニュー項目内容の変更を行うための左右カーソルキー３１２と、取扱説明の要求を行うための取扱説明キー３１３と、インデックスによるメニュー選択を行うためのインデックスキー３１４と、操作メニューと詳細操作メニューを切替えるためのメニュー切替えキー３１５が存在する。また、表示装置３０１内のメニュー表示部３０２には既に操作用メニューの最上位の階層が表示されており、「音声自動調整」が現在選択されているメニューの項目であり、そのメニュー項目に対応する内部状態が「オン」であることがわかる。また、操作案内表示部３０３には、現在選択されているメニュー項目に対応して、操作案内が表示され、利用者に対して左右カーソルキー３１２で選択メニュー項目の値の変更が可能である事とメニュー切替えキー３１５で詳細メニューへの切替えが可能である事を示している。
【００４２】
（１）まず、本発明の表示装置に係る動作の説明を行なう。図７で、上下カーソルキー３１１の押下により図２に示した「利用者による選択メニュー項目の変更」が発生すると、図１のメニュー構造管理部１０４、内部状態管理部１０９に応じて表示が更新され、表示画面は図８の状態となる。この場合、「映像自動調整」が選択されており、そのメニュー項目に対応する内部状態が「オフ」であるので、操作案内表示部３０３の表示もそれに応じて、表示画面は図７の状態から変化している。
【００４３】
ここで、左右カーソルキー３１２の押下により図３に示した「利用者による選択メニュー項目内容の変更」が発生すると、図１における内部状態管理部１０９の更新が行なわれ、それに応じてメニュー項目の表示が更新され、表示画面は図９の状態となる。この場合、「映像自動調整」が選択されており、そのメニュー項目に対応する内部状態が「オン」であるので、操作案内表示部３０３の表示もそれに応じて、表示画面は図８の状態から変化している。
【００４４】
更に、メニュー切替えキー３１５の押下により操作を進め「映像自動調整」メニューの階層内に入ると、図１の詳細メニュー制御部１１１により詳細メニューが表示され、表示画面は図１０の状態となる。この場合、「色の濃さ」が選択されており、その内部状態は「＋３０」である。再びメニュー切替えキー３１５が押下されると「映像自動調整」メニューの表示は消去され、表示画面は図９の状態に戻る。
【００４５】
（２）次に本発明の他の動作の説明を行なう。表示画面が図７の状態から、取扱説明キー３１３の押下により図４に示した「利用者による取り扱い説明の要求」が発生すると、現在の選択メニュー項目に対応し、図１の内部状態管理部１０９に応じた取り扱い説明が表示され表示画面は図１１の状態となる。この取り扱い説明は、図１の内部状態管理部１０９の機器の内部状態を反映するため、内部状態により表示内容は異なる。
【００４６】
（３）さらに他の動作はについて説明を行なう。図７のインデックス表示部３０４にはインデックスキー３１４で選択可能なメニューが「よく使う」「子画面」「調整」「設定」の４種類ある事を示しており、特に「調整」が強調表示されており、現在選択中のメニューである事を表している。表示画面は図７の状態から、インデックスキー３１４の押下により図５に示した「インデックスによるメニューの選択」が発生すると、メニューの表示は特定の規則にしたがって切り替わり、同一階層の別のメニューを表示し、図１２の状態となる。この場合、「よく使う」が現在の選択中のメニューとなっている。なお「インデックスによるメニューの選択」は、図１の入力装置１０１からの利用者の入力の他、図１のメニュー制御部１０３からも発生することができる。
【００４７】
（４）また、他の実施例として表示画面は図１２の状態から、図６に示した「内部状態の変化」は発生すると、図１の内部状態管理部１０９が変化し、表示が更新され、表示画面は図１３の状態となる。「内部状態の変化」とは、例えばテレビジョン受像機に装備されたシステム入力端子などの外部機器からの制御により、利用者からの入力装置１０１とは独立して発生するものである。この場合は、メニューの選択項目が「ＢＳ予約」であるにも拘らず、「音多切替」メニュー項目の表示が「ステレオ」から「モノラル」に変化している。
【００４８】
（５）更に、表示画面は図１１で示したように、メニュー表示部３０２、操作案内表示部３０３、インデックス表示部３０４、取り扱い説明表示部３０５は連続した領域に「本」のようなイメージで表示されている。各表示部の表示内容はいったん図１の表示内容合成部１１０で受け付けられ、連続した領域に「本」のイメージに合成され、表示装置３０１に表示が行なわれる。
【００４９】
（６）最後に図９に示す実施例の動作の説明を行なう。図９の状態では、操作案内表示部３０３に「値の変更」「詳細設定」という操作案内が表示指されている。ここで、上下カーソルキー３１１の押下により図２に示した「利用者による選択メニュー項目の変更」が発生し、選択メニュー項目が下に移動したとすると、図７の状態に戻り操作案内表示部３０３の表示は「値の変更」だけになる。なお、時間計測部１１４は上下カーソルキー３１１または左右カーソルキー３１２が押下された時点から時間計測を開始する。
【００５０】
そこで、このような動作が連続的に行なわれた時、その上下カーソルキー３１１または左右カーソルキー３１２の操作時間間隔が、時間計測部１１４から操作案内制御部１０５に割り込み要求が送られる時間より短い場合、操作案内制御部１０５は表示の更新を行なわない。ただし、次の操作までの時間間隔が時間計測部１１４から操作案内制御部１０５に割り込み要求が送られる時間より長くなれば、表示の更新を行なう。
【００５１】
以上のように、本願発明の操作用メニュー付き表示装置では、使用頻度の高いメニュー項目が即座に変更できるようにメニューを構成することができ、使用頻度の低いメニューは利用者の習熟度に応じて使用することができる。また、機器のその時点での状態に応じた取り扱い説明、操作案内を、画面を乱すことなく示することができる。また、インデックスによって、複雑なメニュー階層の中から、簡単且つ即座にメニューを選択できる。
【００５２】
以上、本願発明を実施例に基づきその動作、機能を中心に説明してきたが、本願発明は何も上記実施例に限定されないのはもちろんである。すなわち、上記実施例における構成要素、フローチャートはあくまで一例であり、他の構成要素を採用されたり、複数の構成要素が一つの部品に合成されたり、一つの構成要素が複数の部品にて製造されてもよい。
【００５３】
更にまた、例えば本願発明の要旨を含む限り以下のものが包含されるのは勿論である。（１）ＣＲＴを複数装備する。（２）既存の表示装置にハード面、ソフト面の改造、追加処理を行なって本願発明に係る機能を追加する。（３）印刷手段が付加されている。（４）発音、発声機能が付加されている。
【産業上の利用可能性】
【００５４】
本発明にかかる操作用メニュー付き表示装置は、複雑なメニューの全体を把握しやすく、簡単な操作環境を提供することができ、特に操作用メニュー表示を行う装置に適している。
【図面の簡単な説明】
【００５５】
【図１】本発明による操作用メニュー付き表示装置の一実施例のブロック図
【図２】「利用者による選択メニュー項目の変更」が発生した時のフローチャート
【図３】「利用者による選択メニュー項目内容の変更」が発生した時のフローチャート
【図４】「利用者による取扱い説明の要求」が発生した時のフローチャート
【図５】「インデックスによるメニューの選択」が発生した時のフローチャート
【図６】「内部状態の変化」が発生した時のフローチャート
【図７】本発明による表示画面の変化の一例を示す図
【図８】本発明による表示画面の変化の一例を示す図
【図９】本発明による表示画面の変化の一例を示す図
【図１０】本発明による表示画面の変化の一例を示す図
【図１１】本発明による表示画面の変化の一例を示す図
【図１２】本発明による表示画面の変化の一例を示す図
【図１３】本発明による表示画面の変化の一例を示す図
【図１４】従来例の操作用メニュー付き表示装置のブロック図
【図１５】同操作用メニュー付き表示装置のフローチャート
【図１６】同操作用メニュー付き表示装置のフローチャート
【図１７】同表示画面の変化の一例を示す図
【図１８】同表示画面の変化の一例を示す図
【図１９】同表示画面の変化の一例を示す図
【図２０】同表示画面の変化の一例を示す図
【符号の説明】
【００５６】
１０１    入力装置
１０２    入力受付部
１０３    メニュー制御部
１０４    メニュー構造管理部
１０５    操作案内表示制御部
１０６    内部状態制御部
１０７    出力装置
１０９    内部状態管理部
１１０    表示内容合成部
１１１    詳細メニュー制御部
１１２    インデックス制御部
１１３    取り扱い説明制御部
１１４    時間計測部
【図１】
2004297816.tif 000003
【図２】
2004297816.tif 000004
【図３】
2004297816.tif 000005
【図４】
2004297816.tif 000006
【図５】
2004297816.tif 000007
【図６】
2004297816.tif 000008
【図７】
2004297816.tif 000009
【図８】
2004297816.tif 000010
【図９】
2004297816.tif 000011
【図１０】
2004297816.tif 000012
【図１１】
2004297816.tif 000013
【図１２】
2004297816.tif 000014
【図１３】
2004297816.tif 000015
【図１４】
2004297816.tif 000016
【図１５】
2004297816.tif 000017
【図１６】
2004297816.tif 000018
【図１７】
2004297816.tif 000019
【図１８】
2004297816.tif 000020
【図１９】
2004297816.tif 000021
【図２０】
2004297816.tif 000022
【手続補正書】
【提出日】平成16年5月26日(2004.5.26)
【手続補正１】
【補正対象書類名】特許請求の範囲
【補正対象項目名】全文
【補正方法】変更
【補正の内容】
【特許請求の範囲】
【請求項１】
リモコンから送信された取り扱い説明要求を受け付ける入力受付手段と、取り扱い説明を管理する管理手段と、操作用メニューを表示する表示手段とを備え、前記表示手段は、前記入力受付手段が前記取り扱い説明要求を受け付けた場合に、前記操作用メニューに対応する前記管理手段の前記取り扱い説明を表示することを特徴とする操作用メニュー付き表示装置。
【請求項２】
リモコンから送信された取り扱い説明要求を受け付ける入力受付手段と、取り扱い説明を管理する管理手段と、操作用メニューを表示する表示手段とを備え、前記表示手段は、前記入力受付手段が前記取り扱い説明要求を受け付けた場合に、前記操作用メニュー中で選択中のメニュー項目に対応する前記管理手段の前記取り扱い説明を表示することを特徴とする操作用メニュー付き表示装置。
【請求項３】
リモコンから送信された取り扱い説明要求を受け付ける入力受付手段と、操作用メニューを表示する表示手段と、前記操作用メニューに対応する内部状態を管理する内部状態管理手段とを備え、前記表示手段は、前記入力受付手段が前記取り扱い説明要求を受け付けた場合に、前記操作用メニューに対応する前記内部状態管理手段の前記内部状態を表示することを特徴とする操作用メニュー付き表示装置。
【請求項４】
リモコンから送信された取り扱い説明要求を受け付ける入力受付手段と、操作用メニューを表示する表示手段と、前記操作用メニューに対応する内部状態を管理する内部状態管理手段とを備え、前記表示手段は、前記入力受付手段が前記取り扱い説明要求を受け付けた場合に、前記操作用メニュー中で選択中のメニュー項目に対応する前記内部状態管理手段の前記内部状態を表示することを特徴とする操作用メニュー付き表示装置。
【請求項５】
リモコンから送信された取り扱い説明要求を受け付ける入力受付手段と、取り扱い説明を管理する管理手段と、操作用メニューを表示する表示手段と、前記操作用メニューに対応する内部状態を管理する内部状態管理手段とを備え、前記表示手段は、前記入力受付手段が前記取り扱い説明要求を受け付けた場合に、前記操作用メニューに対応する前記管理手段の前記取り扱い説明、及び前記操作用メニューに対応する前記内部状態管理手段の前記内部状態を表示することを特徴とする操作用メニュー付き表示装置。
【請求項６】
リモコンから送信された取り扱い説明要求を受け付ける入力受付手段と、取り扱い説明を管理する管理手段と、操作用メニューを表示する表示手段と、前記操作用メニューに対応する内部状態を管理する内部状態管理手段とを備え、前記表示手段は、前記入力受付手段が前記取り扱い説明要求を受け付けた場合に、前記操作用メニュー中で選択中のメニュー項目に対応する前記管理手段の前記取り扱い説明、及び前記操作用メニュー中で選択中の前記メニュー項目に対応する前記内部状態管理手段の前記内部状態を表示することを特徴とする操作用メニュー付き表示装置。
【請求項７】
リモコンから送信されたメニュー選択要求を受け付ける入力受付手段と、同一階層の操作用メニューを表示するインデックス制御手段とを備え、前記インデックス制御手段は、前記入力受付手段が前記メニュー選択要求を受け付けた場合に、表示中の操作用メニューと同一階層の別の操作用メニューを表示することを特徴とする操作用メニュー付き表示装置。
【請求項８】
リモコンから送信されたメニュー選択要求を受け付ける入力受付手段と、同一階層の操作用メニューをインデックスを付加して表示するインデックス制御手段とを備え、前記インデックス制御手段は、前記入力受付手段が前記メニュー選択要求を受け付けた場合に、表示中の前記インデックスを付加した操作用メニューと同一階層の別の前記インデックスを付加した操作用メニューを表示することを特徴とする操作用メニュー付き表示装置。
【請求項９】
請求項１乃至６のいずれかに記載の操作用メニュー付き表示装置に、取り扱い説明要求を送信することを特徴とするリモコン。
【請求項１０】
請求項７乃至８のいずれかに記載の操作用メニュー付き表示装置に、メニュー選択要求を送信することを特徴とするリモコン。
【手続補正２】
【補正対象書類名】明細書
【補正対象項目名】００１９
【補正方法】変更
【補正の内容】
【００１９】
上記目的を達成するために、本発明の請求項１に係る操作用メニュー付き表示装置は、リモコンから送信された取り扱い説明要求を受け付ける入力受付手段と、取り扱い説明を管理する管理手段と、操作用メニューを表示する表示手段とを備え、前記表示手段は、前記入力受付手段が前記取り扱い説明要求を受け付けた場合に、前記操作用メニューに対応する前記管理手段の前記取り扱い説明を表示することを特徴とする。また、本発明の請求項２に係る操作用メニュー付き表示装置は、リモコンから送信された取り扱い説明要求を受け付ける入力受付手段と、取り扱い説明を管理する管理手段と、操作用メニューを表示する表示手段とを備え、前記表示手段は、前記入力受付手段が前記取り扱い説明要求を受け付けた場合に、前記操作用メニュー中で選択中のメニュー項目に対応する前記管理手段の前記取り扱い説明を表示することを特徴とする。
【手続補正３】
【補正対象書類名】明細書
【補正対象項目名】００２０
【補正方法】変更
【補正の内容】
【００２０】
また、本発明の請求項３に係る操作用メニュー付き表示装置は、リモコンから送信された取り扱い説明要求を受け付ける入力受付手段と、操作用メニューを表示する表示手段と、前記操作用メニューに対応する内部状態を管理する内部状態管理手段とを備え、前記表示手段は、前記入力受付手段が前記取り扱い説明要求を受け付けた場合に、前記操作用メニューに対応する前記内部状態管理手段の前記内部状態を表示することを特徴とする。また、本発明の請求項４に係る操作用メニュー付き表示装置は、リモコンから送信された取り扱い説明要求を受け付ける入力受付手段と、操作用メニューを表示する表示手段と、前記操作用メニューに対応する内部状態を管理する内部状態管理手段とを備え、前記表示手段は、前記入力受付手段が前記取り扱い説明要求を受け付けた場合に、前記操作用メニュー中で選択中のメニュー項目に対応する前記内部状態管理手段の前記内部状態を表示することを特徴とする。
【手続補正４】
【補正対象書類名】明細書
【補正対象項目名】００２１
【補正方法】変更
【補正の内容】
【００２１】
また、本発明の請求項５に係る操作用メニュー付き表示装置は、リモコンから送信された取り扱い説明要求を受け付ける入力受付手段と、取り扱い説明を管理する管理手段と、操作用メニューを表示する表示手段と、前記操作用メニューに対応する内部状態を管理する内部状態管理手段とを備え、前記表示手段は、前記入力受付手段が前記取り扱い説明要求を受け付けた場合に、前記操作用メニューに対応する前記管理手段の前記取り扱い説明、及び前記操作用メニューに対応する前記内部状態管理手段の前記内部状態を表示することを特徴とする。また、本発明の請求項６に係る操作用メニュー付き表示装置は、リモコンから送信された取り扱い説明要求を受け付ける入力受付手段と、取り扱い説明を管理する管理手段と、操作用メニューを表示する表示手段と、前記操作用メニューに対応する内部状態を管理する内部状態管理手段とを備え、前記表示手段は、前記入力受付手段が前記取り扱い説明要求を受け付けた場合に、前記操作用メニュー中で選択中のメニュー項目に対応する前記管理手段の前記取り扱い説明、及び前記操作用メニュー中で選択中の前記メニュー項目に対応する前記内部状態管理手段の前記内部状態を表示することを特徴とする。
【手続補正５】
【補正対象書類名】明細書
【補正対象項目名】００２２
【補正方法】変更
【補正の内容】
【００２２】
また、本発明の請求項７に係る操作用メニュー付き表示装置は、リモコンから送信されたメニュー選択要求を受け付ける入力受付手段と、同一階層の操作用メニューを表示するインデックス制御手段とを備え、前記インデックス制御手段は、前記入力受付手段が前記メニュー選択要求を受け付けた場合に、表示中の操作用メニューと同一階層の別の操作用メニューを表示することを特徴とする。また、本発明の請求項８に係る操作用メニュー付き表示装置は、リモコンから送信されたメニュー選択要求を受け付ける入力受付手段と、同一階層の操作用メニューをインデックスを付加して表示するインデックス制御手段とを備え、前記インデックス制御手段は、前記入力受付手段が前記メニュー選択要求を受け付けた場合に、表示中の前記インデックスを付加した操作用メニューと同一階層の別の前記インデックスを付加した操作用メニューを表示することを特徴とする。
【手続補正６】
【補正対象書類名】明細書
【補正対象項目名】００２３
【補正方法】変更
【補正の内容】
【００２３】
また、本発明の請求項９に係るリモコンは、請求項１乃至６のいずれかに記載の操作用メニュー付き表示装置に、取り扱い説明要求を送信することを特徴とする。また、本発明の請求項１０に係るリモコンは、請求項７乃至８のいずれかに記載の操作用メニュー付き表示装置に、メニュー選択要求を送信することを特徴とする。
【手続補正７】
【補正対象書類名】明細書
【補正対象項目名】００２４
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】